(57)【特許請求の範囲】
【請求項１】
文字表示手段と、音声再生手段と、
メッセージ表示，音声アナウンスの両方または一方を用いて情報や宣伝などを再生するためのページデータを複数ページ含むとともに、カラオケ装置の設置地域、再生の日付、時間帯の全部または一部の条件に基づいて前記複数のページデータから一部のページデータを選択するためのページ選択テーブルを含む情報サービスデータをセンタからダウンロードするダウンロード手段と、
ダウンロードした情報サービスデータを記憶する記憶手段と、
該カラオケ装置の設置地域、再生の日付、時間帯の全部または一部の条件で前記ページ選択テーブルを検索してページデータを選択する選択手段と、
該選択手段によって選択されたページデータのみを前記文字表示手段または音声再生手段に供給して再生する再生手段と、
を備えたことを特徴とするカラオケ装置。
【発明の詳細な説明】
【０００１】
【発明の属する技術分野】
この発明は、装置の立ち上げ時やカラオケ曲が演奏されていない曲間に情報やＣＭなどの情報サービスデータ（以下ＩＣＭ(Interactive Commercial Message)データという。）を再生するカラオケ装置に関する。
【０００２】
【従来の技術】
カラオケボックスなどに設置されるカラオケ装置は、顧客が来店した立ち上げ時、カラオケ曲が演奏されていない曲間、カラオケ装置の終了時などにＣＭや情報などを再生するようにしているものがある。
【０００３】
【発明が解決しようとする課題】
ところで、ＣＭや情報は再生の場面を考慮して的確なものを再生しなければその効果が半減してしまう。たとえば、時候や時間帯に合わない挨拶や地域や季節に合わない内容の情報・ＣＭは効果がないばかりか顧客に悪い印象を与えてしまう欠点がある。
【０００４】
そこで、タイミング，時間帯，季節（時期），地域などの各種場面に応じたＩＣＭデータを準備する必要があるが、このように多種のＩＣＭデータを全て揃えて各端末装置（カラオケ装置）からのダウンロードに応じることは配信センタにとって非常に負荷が大きい。また、カラオケ装置においても、各場面に適応したＩＣＭデータを全てダウンロードして内部に記憶しておくことは、ダウンロードの手間が掛かり多くのメモリ容量が必要となるうえ、再生する場面に適応したＩＣＭデータがダウンロードされていない場合にはＩＣＭを再生できないという欠点があった。
【０００５】
この発明は、多様なページを有するＩＣＭデータを用い、場面に応じてページを選択することによりどのような場面でも最適なＩＣＭを再生することのできるカラオケ装置を提供することを目的とする。
【０００６】
【課題を解決するための手段】
この発明は、文字表示手段と、音声再生手段と、メッセージ表示，音声アナウンスの両方または一方を用いて情報や宣伝などを再生するためのページデータを複数ページ含むとともに、カラオケ装置の設置地域、再生の日付、時間帯の全部または一部の条件に基づいて前記複数のページデータから一部のページデータを選択するためのページ選択テーブルを含む情報サービスデータをセンタからダウンロードするダウンロード手段と、ダウンロードした情報サービスデータを記憶する記憶手段と、該カラオケ装置の設置地域、再生の日付、時間帯の全部または一部の条件で前記ページ選択テーブルを検索してページデータを選択する選択手段と、該選択手段によって選択されたページデータのみを前記文字表示手段または音声再生手段に供給して再生する再生手段と、を備えたことを特徴とする。
【０００７】
【発明の実施の形態】
図１はこの発明の実施形態であるカラオケ装置のブロック図である。このカラオケ装置は、音源や音声データ処理部を駆動してカラオケ演奏音を発生するいわゆる音源カラオケ装置である。音源や音声データ処理部の動作はカラオケ演奏用の楽曲データに基づいて制御される。また、カラオケ演奏音の発生と同期して歌詞や背景映像がモニタ２９に表示される。楽曲データはハードディスク２７に約１万曲分が記憶されている。また、ハードディスク２７には楽曲データのほか、ＩＣＭデータが記憶されている。ＩＣＭデータは、カラオケ装置の立ち上げ時，曲間（カラオケ曲のリクエストがないとき）や装置の終了時などの各種タイミングに挨拶や種々の情報・ＣＭなどを再生するためのデータである。再生される挨拶，情報，ＣＭなど（以下ＩＣＭという）は、地域，タイミング，日時などの場面によって異なる。たとえば、装置立ち上げ時に、昼間であれば「こんにちは」、夜間であれば「こんばんは」の挨拶を表示・アナウンスし、装置終了時には「お疲れさま」の表示をする。また、同じ時期でも北海道など北の地域では「寒い日が続きます」などの挨拶を表示・アナウンスし、南の地域では「春が近づいてきました」などの挨拶を表示・アナウンスする。また、ＩＣＭは表示・アナウンスと並行して背景映像も表示するが、地域によって雪山の映像や海の映像などを切り換えることもできる。
【０００８】
カラオケ装置全体の動作を制御するＣＰＵ２０には、バスを介してＲＯＭ２１，ＲＡＭ２２，ハードディスク（ＨＤＤ）２７，通信制御部２６，コマンダ受信部２３，操作部２４，表示部２５，ＭＩＤＩインタフェース２８，音源２９，音声データ処理部３０，ＤＳＰ３１，文字パターン展開部３６，ＬＤチェンジャ３７および表示制御部３８が接続されている。
【０００９】
ＲＯＭ２１には、システムプログラム，カラオケ演奏プログラム，ＩＣＭ再生プログラム，ローダおよび文字パターンデータが記憶されている。システムプログラムは、この装置の基本動作を制御するプログラムである。カラオケ演奏プログラムは、楽曲データに基づいて音源２９，音声データ処理部３０，ＤＳＰ３１などを駆動し、カラオケ演奏音を発生するとともに歌詞の表示や背景映像の再生を制御するプログラムである。ＩＣＭ再生プログラムはＩＣＭデータを読み出しＩＣＭを再生するプログラムである。ＩＣＭ再生プログラムについては、図５，図６のフローチャートの説明において詳述する。ローダは、配信センタから楽曲データやＩＣＭデータをダウンロードするためのプログラムである。文字パターンデータは、コード情報として与えられる歌詞，曲名や情報の内容などを文字パターンに展開するためのデータである。この文字パターンデータは文字パターン展開部３６が歌詞データに基づいて歌詞を表示するときやＩＣＭデータに基づいてＩＣＭの文字データを表示するときに用いられる。ＲＡＭ２２にはハードディスク２７から読み出した楽曲データを記憶する楽曲データ記憶エリア２２ａおよびハードディスク２７から読み出したＩＣＭデータを記憶するＩＣＭデータ記憶エリア２２ｂが設定される。
【００１０】
通信制御部２６は通信回線を介して配信センタと交信し、楽曲データやＩＣＭデータをダウンロードするためのコントローラである。通信制御部２６はＤＭＡ回路を内蔵しており、ダウンロードされた楽曲データやＩＣＭデータをＣＰＵ２０を介さずに直接ハードディスク２７に書き込むことができる。ハードディスク２７には約１万曲の楽曲データを記憶した楽曲データファイル２７ａおよび複数のＩＣＭデータを記憶したＩＣＭデータファイル２７ｂが設定されている。
【００１１】
コマンダ受信部２３はコマンダ４１から送られてくる赤外線信号を受信してデータを復元する。コマンダ４１は、曲番号登録キーやテンキーなど各種キースイッチを備えている。利用者がこれらのキースイッチを操作すると、コマンダ４１は操作されたキースイッチに対応する赤外線コード信号を出力する。コマンダ受信部２３はこの赤外線コード信号を受信してＣＰＵ２０に伝達する。操作部２４はカラオケ装置のフロントパネルに設けられており、上記コマンダ４１と同様のモード選択スイッチやテンキーなどを含んでいる。表示部２５も操作部２４と同様カラオケ装置のフロントパネルに設けられており、現在演奏中の曲番号や予約曲数などを表示するＬＥＤマトリクス表示器を含んでいる。
【００１２】
音源２９は、楽曲データに含まれる楽音データに基づいて楽音信号を形成する。音声データ処理部３０は、楽曲データに含まれる音声データに基づいてバックコーラスなどの音声信号を再生する。音源２９が形成した楽音信号および音声データ処理部３０が再生した音声信号はＤＳＰ３１に入力される。ＤＳＰ３１は、これら楽音信号および音声信号に対してリバーブ，エコーなどの効果を付与する。ＤＳＰ３１が付与する効果の種類や程度は、楽曲データに含まれているＤＳＰ制御データに基づいて制御される。効果が付与された楽音信号，音声信号はＤ／Ａコンバータ３３でアナログ信号（カラオケ演奏音）に変換されたのちアンプ３３に出力される。アンプにはマイク３４から歌唱音声信号も入力される。アンプ３３はカラオケ演奏音と歌唱音声信号をミキシング・増幅してスピーカ３５を駆動する。また、音声データ処理部３０は、ＩＣＭ再生プログラムが動作しているとき、ＩＣＭデータに含まれるアナウンス用の音声データを再生する。アナウンスは図３（Ｄ）に示すような断片の音声データを組み合わせて、図４に示すような文章にしたものである。
【００１３】
また、文字パターン展開部３６は、カラオケ演奏時には楽曲データの歌詞トラックの文字コードデータを文字パターンを展開し、ＩＣＭ再生時にはＩＣＭデータの文字表示トラックの文字コードデータを文字パターンに展開する。ＬＤチェンジャ３７はカラオケ演奏時およびＩＣＭ再生時に所定の背景映像（動画）を再生する。文字パターン展開部３６が展開した文字パターンおよびＬＤチェンジャが再生した背景映像は表示制御部３８によって合成され、モニタ３９に表示される。
【００１４】
図２は楽曲データの例を示す図である。同図（Ａ）楽曲データ全体の構成を示しており、同図（Ｂ）はトラックの例として楽音トラック中のメロディトラックの構成を示している。楽曲データは、ヘッダ，楽音トラック，歌詞トラック，音声制御トラック，ＤＳＰ制御トラックからなっている。ヘッダは、この楽曲データに関する種々のデータが書き込まれる部分であり、曲名，ジャンル，発売日，曲の演奏時間（長さ）などのデータを含んでいる。
【００１５】
楽音トラック，歌詞トラック，音声制御トラック，ＤＳＰ制御トラックの各トラックは全て同図（Ｂ）に示すようなＭＩＤＩフォーマットで記述されている。ＭＩＤＩフォーマットは、複数のイベントデータと各イベントデータ間の時間間隔を示すデュレーションデータΔｔからなっている。シーケンスプログラムは、所定のテンポクロックでΔｔをカウントし、Δｔをカウントアップしたときこれに続くイベントデータを読み出して所定の処理部へ出力する。
【００１６】
楽音トラックは、メロディトラック，リズムトラックを初めとして種々のパートのトラックを含んでいる。楽音トラックのイベントデータは楽音の発音（ノートオンイベント）や楽音の消音（ノートオフイベント）データなどであり、各イベントデータはイベント種類（ノートオン，ノートオフ，音色変更など），ノートナンバ（音高），ベロシティなどで構成されている。
【００１７】
歌詞トラックは、モニタ３９上に歌詞を表示するためのシーケンスデータを記憶したトラックである。このシーケンスデータは楽音データではないが、インプリメンテーションの統一をとり、作業工程を容易にするためこのトラックもＭＩＤＩデータ形式のシステム・エクスクルーシブ・メッセージで記述されている。音声制御トラックは、音声データ部に記憶されている音声データの発生タイミングや再生ピッチなどを指定するシーケンストラックである。音声データ部には、音源２９で合成しにくいバックコーラスやハーモニー歌唱などの人声が記憶されている。ＤＳＰ制御トラックには、ＤＳＰ３１の動作を制御するＤＳＰ制御データがデュレーションデータとともに書き込まれている。
【００１８】
図３はＩＣＭデータの構成を示す図である。同図（Ａ）はＩＣＭデータの全体構成を示す図である。同図（Ｂ）はＩＣＭデータデータのヘッダに含まれるページ選択テーブルの例を示す図である。同図（Ｃ）はＩＣＭデータに含まれる文字表示トラックおよび音声制御トラックの例を示す図である。また、同図（Ｄ）ＩＣＭデータに含まれる音声データの例を示す図である。また、図４は文字表示トラックの各ページのデータを文字パターン展開部３６によって展開した表示画面の例を示す図である。このようにＩＣＭデータの各ページには種々の場面（ページ選択データ）に対応した挨拶文やカラオケボックスのＣＭなどが書き込まれている。
【００１９】
ＩＣＭデータは、ヘッダ，文字表示トラック，音声制御トラック，音声データファイルからなっている。なお、ＩＣＭ再生時はＢＧＭとしてカラオケの楽曲データを演奏するため、ＩＣＭデータは楽音を発生するためのトラックを含んでいない。文字表示トラックおよび音声制御トラックは図２の楽曲データの各トラックと同様にＭＩＤＩフォーマットで記載されており、図３（Ｃ）に示すようにデュレーションデータΔｔとイベントデータの組み合わせで構成されている。文字表示トラックのイベントデータは表示文字コード，ポイント数（大きさ），表示位置，表示色などのデータからなっている。また、音声制御データのイベントデータは音声データ番号からなっている。音声データ番号は音声データファイルに記憶されている複数の音声データを識別する番号である（同図（Ｄ）参照）。各音声データは、図４の画面表示とほぼ同じ内容の音声を表すＡＤＰＣＭデータである。
【００２０】
ここで、文字表示トラック，音声制御トラックとも、複数のページに区切られており、ＩＣＭ再生プログラムは上記複数のページのうち指定された一部のページのみを選択的に読み出すことができる。各ページのデータ内容（表示内容，アナウンス内容）は、図４に示すように、それぞれ特定の地域，特定の時期，特定の時間帯に対応したものであり、これを適当に組み合わせることにより、特定の地域，時期時間帯に対応したＩＣＭを構成することができる。
【００２１】
ページ選択テーブルは、タイミング，地域，日付，時間帯などのページ選択データにより、該ＩＣＭデータのどのページを再生するかを決定するテーブルである。また、ページを決定するとともに、ＢＧＭの曲およびＢＧＶのシーンを指定する。
【００２２】
同図の例では、立ち上げ時，曲間，終了時の３つのタイミング毎に、地域を「北海道」，「本州〜九州」，「奄美・沖縄」に分割し、日付を３月１５日から４月１０日まで、４月１１日から５月１日まで、および、５月２日から５月３１日までに分割し、時間帯を１２時〜１７時、１７時〜２０時、および、２０時〜２４時に分割している。そして、各条件毎に再生するページの番号が指定されている。再生するページは１ページでもよく複数ページでもよい。複数ページが指定された場合には、これらのページが指定順に連続して再生される。ＢＧＭの指定は楽曲データの曲番号で指定される。ＢＧＭの再生はＩＣＭデータの文字表示トラックの読み出し（文字の表示）および音声制御トラックの読み出し（アナウンスの再生）と並行して行われるが、楽音トラックの読み出し（楽音の発生）のみ行われ、歌詞の表示やバックコーラスの再生は行われないものとする。また、ＢＧＶの指定はＬＤのチャプタナンバまたはシーンの種類で行われるものとする。このようにＢＧＶ，ＢＧＭをページと別に選択することにより、同じ内容であっても地域などにより異なる雰囲気で再生することができる。
【００２３】
図５，図６はＩＣＭ再生プログラムを示すフローチャートである。図５（Ａ）は起動処理動作を示している。この動作はカラオケ装置の立ち上げ時やリクエストのない曲間などに実行される。ＩＣＭ再生動作がスタートするとまず、所定のＩＣＭデータをＲＡＭ２２に読み出す（ｓ１）。そして、タイミング，地域，日付，時間帯のページ選択データをチェックする（ｓ２）。こののち、各再生動作（図６（Ｂ）、（Ｃ）、図７（Ａ），（Ｂ））に進む。これら再生動作は全て並行して処理される。
【００２４】
同図（Ｂ）は文字表示動作を示すフローチャートである。まず、ページ選択テーブルを参照し、ページ選択データによって選択されるページを割り出す（ｓ５）。そしてその表示ページにジャンプする（ｓ６）。こののち、表示シーケンス動作を実行する（ｓ７）。表示シーケンス動作とは文字表示トラックを先頭から順に読み出し、デュレーションデータを読み出したときにはこれをカウントアップしたのち次のデータを読み出し、イベントデータ（文字表示データ）を読み出したときにはこれを文字パターン展開部３６に出力する動作である。文字パターン展開部３６は受信した文字表示データに基づいて図４に示すような画面を構成する。この動作をページ選択テーブルで選択された全てのページの表示が終了するか、または、顧客が何らかの操作を行ったとき終了する（ｓ８，ｓ９）。
【００２５】
同図（Ｃ）はアナウンス動作を示すフローチャートである。まず、ページ選択テーブルを参照し、ページ選択データによって選択されるページを割り出す（ｓ１１）。そして該選択されたページにジャンプする（ｓ１２）。こののち、アナウンスの再生シーケンス動作を実行する（ｓ１３）。再生シーケンス動作とは音声制御トラックを先頭から順に読み出し、デュレーションデータを読み出したときにはこれをカウントアップしたのち次のデータを読み出し、イベントデータ（音声データ番号）を読み出したときにはこの音声データ番号で指定される音声データを音声データ処理部３０に出力する動作である。この音声データの再生により図４の画面に表示される文言とほぼ同様のアナウンスが再生される。この動作をページ選択テーブルで選択された全てのページのアナウンスが終了するか、または、顧客が何らかの操作を行ったとき終了する（ｓ１４，ｓ１５）。
【００２６】
図６（Ａ）はＢＧＶ再生動作である。まず、ページ選択テーブルを参照し、ページ選択データによって指定される再生シーンを割り出す（ｓ２０）。該シーン番号をＬＤチェンジャ３７に指示する（ｓ２１）とともに、再生スタートを指示する（ｓ２２）。ＬＤチェンジャ３７はこの指示に応じて指定されたシーンの再生を開始する。ＩＣＭが再生されている間ＢＧＶの再生も継続し顧客が何らかの操作をするかまたは再生が終了すると（ｓ２３）、ＬＤチェンジャ３７に対して再生ストップを指示を出力する（ｓ２４）。これにより、ＬＤチェンジャ３７はＢＧＶの再生をストップする。
【００２７】
図６（Ｂ）はＢＧＭ再生動作である。まず、ページ選択テーブルを参照し、ページ選択データによって指定される曲番号を割り出す（ｓ３０）。該曲番号の楽曲データ（ヘッダ，楽音トラック，ＤＳＰコントロールトラックのみ）を読み出したのち（ｓ３１）、演奏シーケンス処理をスタートする（ｓ３２）。演奏シーケンス処理は通常のカラオケ演奏動作のうち音源２９による楽音の発音動作のみの動作である。演奏中に顧客が何らかの操作をするかまたは再生が終了すると（ｓ３３）、全ての楽音を消音して（ｓ３４）。動作を終了する。
【００２８】
なお、ＩＣＭの内容は上記実施形態に示した例に限定されるものではない。また、ＢＧＭを演奏するための演奏トラックをＩＣＭデータに含め、このトラックもページ分割するようにしてもよい。
【００２９】
【発明の効果】
以上のようにこの発明によれば、ＩＣＭデータを複数ページで構成し、場面に応じて必要なページのみを選択して再生するようにしたことにより、１つのＩＣＭデータで全ての場面に対応できるようになり、配信センタ，カラオケ装置ともに多くのＩＣＭデータを記憶・通信する必要がなくなるとともに、どのような場面でも常に最適のＩＣＭを再生できる利点がある。
【図面の簡単な説明】
【図１】この発明の実施形態であるカラオケ装置のブロック図
【図２】同カラオケ装置の楽曲データの構成を示す図
【図３】同カラオケ装置のＩＣＭデータの構成を示す図
【図４】同ＩＣＭデータによる表示内容の例を示す図
【図５】同カラオケ装置のＩＣＭ再生動作を示すフローチャート
【図６】同カラオケ装置のＩＣＭ再生動作を示すフローチャート
【符号の説明】
２２…ＲＡＭ、２２ｂ…ＩＣＭデータ記憶エリア、
２７…ハードディスク、２７ｂ…ＩＣＭデータファイル
【図１】
0003941129.tif 000002
【図２】
0003941129.tif 000003
【図３】
0003941129.tif 000004
【図４】
0003941129.tif 000005
【図５】
0003941129.tif 000006
【図６】
0003941129.tif 000007